(57)【要約】【課題】魚釣りの仕掛けを、的確にポイントに落とし、また、釣り仕掛けを、魚に違和感を持たせずに水中へ持っていかせることと、魚が掛かった仕掛けを、水中より引き抜くときの、浮きに対する水中での抵抗を緩和させて、良好にそれを捕らえられる釣り用の回転する浮きを提供することを、その目的としている。【解決手段】浮き本体（１）は、釣り用仕掛けに使用する。浮き本体の側面に、スクリュ−形状の反り（２、３）および捻り（ａ´−ｂ´、ｃ´−ｄ´）を有し、空気中、水中において空気抵抗、水中抵抗を減少させ、浮きの方向性、直進性、潜行性を高めて浮のブレを無くし、また、釣り糸と浮き本体の摩擦を小さくし、糸通し孔に挿通する釣り糸の実質的な接触面積を減少させて、挿通性を円滑にし、浮の機能を最大限発揮する効率の良い回転浮きとする。【選択図】          図１
2005073507.tif 000002
【特許請求の範囲】
【請求項１】
浮き１は、滑らかな反り（２、３）と、その反りに、捻りを併せ持つ、スクリュ−形状（図１〜図９）を特徴とした、空気中および水上、水中で回転する釣り用浮き。
【請求項２】
該浮き本体１の側面に、滑らかな凹形の反り（２、３）および鋭く、険しい凸形で、峯状の捻り（ａ´−ｂ´）図４とやや緩やかな凸形で峯状の捻り（ｃ´−ｄ´）図５を有し、この反り（２、３）の滑らかな凹面部に当たる空気の流れる圧力および水の流れる圧力の作用で浮きが回転する、あらゆる釣りに用いられる釣り用浮きであって（図１９〜図２５）、
上記反り（２、３）は、仕掛けを的確なポイントに投入する場合、空気（風）の流れ圧力が、滑らかな反りの各表面に作用して該浮き１が回転し、空気抵抗（空気の流れ抵抗）を和らげて想い通りのポイントに仕掛けを投入できるとともに魚が仕掛けに掛かってから、水中に仕掛けを引き込ませる場合、魚に違和感を持たせないで仕掛けを沈めることと、魚の掛かった仕掛けを水中より引き抜く場合に、該浮き本体１の反り（２、３）の滑らかな凹面に、水の流れ圧力が作用し、該浮き本体１が水中抵抗（水の流れ抵抗）を和らげて回転するように成形されている浮き（例えば、水中に引き込まれる場合に右回転すれば水中から引き抜くときは逆回転する）。上記浮き本体１において、空気抵抗、水中抵抗およびブレを緩和させることができる反り（２、３）を施したことを特徴とした請求項１に記載の釣り用浮き。
【請求項３】
上記該浮き１の反り（２、３）の滑らかな凹面と険しい峯状（ａ´−ｂ´、ｃ´−ｄ´）凸部の外形曲線を併せ持つスクリュ−形状（図４、図５）の反りと捻りの面積と形状は、反り２が大きく、反り３がそれよりも小としたとともに、螺旋形状に近いことを特徴とした請求項１および請求項２に記載の空中、水上、水中で回転する釣り用浮き。
【請求項４】
上記該浮き１の滑らかな反り２の形状は、楕円形に似た形であって、上記反り２の凸部間隔（Ａ´）図３は、中間部分が広く、上部頂点（ａ）方向および下部頂点（ｂ）方向へ遠ざかる程、図３の間隔（Ａ´）は狭くなるが、この間隔（Ａ´）は上部頂点（ａ）付近になるにしたがって、緩やかに外形曲線（螺旋）を描きながら頂点（ａ）となり、また、下部頂点（ｂ）付近になるにしたがい、上部頂点（ａ）付近より鋭く、険しい外形曲線（螺旋形状）を描きながら頂点（ｂ）となるように形成されたことを特徴とする請求項１〜請求項３に記載の釣り用浮き。
【請求項５】
上記該浮き１の滑らかな反り２の楕円状凹面の深さ（Ｃ´）図７は、該浮き１の（ａ−ｂ）間（図２、図３）に於いて、上部頂点（ａ）方向および下部頂点（ｂ）方向へ遠ざかる程、図４の外形曲線凸部（ａ´−ｂ´）に対して段々と浅くなるが、図６および図７の断面図に示すこの下部頂点（ｂ）付近の外周（外形曲線）からの深さ：距離（Ｃ´）は、上部頂点（ａ）付近の外周（外形曲線）からの深さ：距離（Ｃ´）に対してのそれよりも大としたことを特徴とした請求項１〜４に記載の釣り用浮き。
【請求項６】
上記該浮き１の滑らかな反り２、３の形状は、楕円形に似た形で、上記反り３の凸部間隔（Ｂ´）図３は、中間部分が広く、該浮き１の（ｃ−ｄ）間において、上部頂点（ｄ）方向および下部頂点（ｃ）方向へ遠ざかる程、間隔（Ｂ´）図３は狭くなるが、この間隔（Ｂ´）は、上部頂点（ｄ）付近になるにしたがって、険しく外形曲線（ｃ´−ｄ´）図５を描きながら頂点（ｄ）となり、また、下部頂点（ｃ）付近なるにしたがい上部頂点（ｄ）付近より緩やかな外形曲線（ｃ´−ｄ´）を描がきながら頂点（ｃ）となるように形成されたことを特徴とする請求項１〜請求項５に記載の釣り用浮き。
【請求項７】
上記該浮き１の図８および図９の断面図に示す反り３の滑らかな凹面の深さ（Ｄ´）は、上部頂点（ｄ）方向および下部頂点（ｃ）方向へ遠ざかる程、浅くなるが、この反りの上部頂点（ｄ）図３付近の深さ（Ｄ´）は、下部頂点（ｃ）付近のそれよりも大とした請求項６に記載の釣り用浮き。
【請求項８】
上記該浮き１の中心部分に、頂部（ｄ）から低部（ｂ）にかけて道糸（釣り糸）を挿通するための貫通孔１０（図２７）を形成し、この貫通孔１０内にセンタ−パイプ（５）を固着し、このセンタ−パイプ（５）の下部分と上部分に、適度の間隔を持たせたフリ−回転リング（６、７）を挿入し、前記該浮き（１）の頂部分に、接触部材（９）を嵌着させた環状金具（１３）と低部分に接触部材（８）を嵌着させた錘兼用の環状金具（１２）を固着させた請求項１〜請求項７に記載の空中、水上、水中で回転する釣り用浮き。（図２６、図２７）
【請求項９】
上記該浮き１の低部（ｂ）付近に、環状の金具（４）を備えた浮力調整用錘（１４）を固着した請求項１〜請求項７に記載の空中、水上、水中で回転する釣用浮き。（図１０〜図１８）
【請求項１０】
上記該浮き１の貫通孔１０に、挿通する道糸（釣り糸）の変わりに固体シャフト（１１´´）を挿入したことを特徴とする請求項１〜請求項８に記載の空中、水上、水中で回転する釣り用浮き。（図３０）
【発明の詳細な説明】
【０００１】
【発明の属する技術分野】
本願発明は、釣り用浮きおよび該浮きの反りと捻りのスクリュ−形状によることでの浮きに対する空気抵抗（風の流れ抵抗）、水上および水中抵抗（水の流れ抵抗）を減少する浮きならびに該浮きの製造方法、詳しくは、色々な材質、大きさ、形状の浮きに適応できる反りの形状を有する浮きに関する。
【０００２】
また、この該浮き１は、空中、水上、水中に於いて用いられる釣り具であって、該浮き本体（１）の側面に凹状の滑らかな反り（２、３）と凸状の鋭く、険しい峯状の捻り（ａ´−ｂ´、ｃ´−ｄ´）を施してある設計形状を備え、空気抵抗：風抵抗（空気の流れＷ）および水上ならびに水中での水流抵抗（水の流れＶ、Ｖ´、Ｖ´´）の作用で、該浮き本体（１）が回転し、各抵抗を減少させることができる浮きに関する。
【０００３】
さらに、仕掛けを投入する時の空中および魚信（あたり）があった場合の該浮きの水中での潜行状態の道糸（釣り糸）を、接触部材：ラインガイド用リング（８、９）と、フリ−回転リング（６、７）により、貫通孔内（１０）をスム−ズに滑らせ、かつ該浮き本体（１）に浮力調整がなされた錘部と方向性・直進性・進行性・潜行性の向上・ブレ防止に必要な錘（浮きの重心の調整がなされた錘）と反り及び捻りを備えた浮きに関する。
【０００４】
また、針に掛かった魚に、仕掛けを違和感無く水中に引き込ませることができるとともに、仕掛けを水中より引き抜く場合にも水中での水の流れの作用により、該浮き本体１が回転することで、水中での抵抗が減少され、浮き本体のブレも無くなり、スム−ズに引き抜くことができる浮きに関する。
【０００５】
これらの技術分野において、空中・水上・水中等で、浮きが回転し、各抵抗減少を高め、的確なポイントに仕掛けを投入でき、かつ魚信（あたり）があった場合には、それを良好に捕らえられる釣り用浮きおよび反りと捻りを備えた該浮きのスクリュ−形状の回転する浮きに関する。
【０００６】
【従来の技術】
近年、魚釣り用のさまざまな道具が新しく開発されたり、不便な箇所が改良されたりしている。このことは、釣り用浮きでも同じである。釣り用浮きの一種に、水面に浮かせて魚信をみるあたり浮きがある。また、従来の遊動仕掛け等の浮きとしては、浮き止めが付いた道糸を挿通できる貫通環（環状の金具４に似た物を使用したタイプ）を浮きの下に取り付けた浮きおよび貫通孔（１０，１０´）を有する浮き等のさまざまなサイズ、形の浮きが用いられている（図２８参照）。
【０００７】
かかる浮きは、その貫通環および貫通孔（１０、１０´）に釣り糸を挿通して、上下の浮き止め等によって係止されてなり、この浮き止めの間をスライドすることができるように、釣り糸（１１、１１´）に取り付けられて使用される物である。
【０００８】
また、別の浮きとして、道糸（釣り糸）に浮き止めを付けずに、水面下に仕掛けを沈める俗にスルスル釣りと呼ばれる全遊動釣りに使用される浮きがある。この全遊動用の浮きの中には、例えば全長２５〜６０ｍｍのふかせ浮き（俗称）といった、比較的小型の中通し浮きがある。なお、全遊動釣りには、例えば海釣りの際に、浮き止めのない道糸の先に、ハリスを介して結ばれた餌付きの釣り針を、海面付近から海底付近まで沈めていく釣り方である。これは、釣り棚を固定した固定仕掛け釣りに比べて、深さ方向の広域にわたって魚信を探れる利点がある。
【０００９】
また、従来、浮きの形状により空気抵抗・風抵抗、水の抵抗を減少させるいくつかの技術は、ドングリ状浮きの下部《図２８（ａ）、図２８（ｂ）参照》の側面に少しの切れ込みや、浮きの側面近くに穴の開いた形状等がある。また、棒状浮き等の側面に、細かい線状の縦筋形状等を施してある釣り具としては、種々の物が市販されている。
【００１０】
更に、浮きのブレに対して、仕掛け投入時の空気中での浮きの方向性・直進性、水中に引き込まれたときの浮きの潜行性、直進性、及び水中より魚と仕掛けを引き抜くときの、浮きに対する、水の流れ抵抗による浮きのブレを減少させる技術は、浮きの表面に、ゴルフボールのように凹の形状を施したものはあった。（例えば、特開平１０−２６２５２８号、特開平１０−２９０６５３号、特開２００１−８８（Ｐ２００１−８８Ａ）号公報参照）。
【００１１】
図２８は、従来手段に係る釣り用浮きの正面拡大断面図である。この図を参照して、従来の全遊動釣りタイプの浮きを説明する。図２８において、１´は従来手段に係る断面円形のナツメ形状をした立て浮きタイプの釣り用浮きである。この釣り用浮き１´には、両端部を貫通して中通し孔１０´が成形されている。従来、この中通し孔１０´は、孔全長にわたり断面積が均一なストレ−ト孔である。孔径は、通常、φ２〜３ｍｍである。図２８の（ａ）図は、浮きの下部に少し切れ込み（１´ａ）が４箇所ほど正面、左右対称に施されたことを示す。浮き本体が、全長５０ｍｍ位とすると、この切れ込み１´ａの大きさは、長さ１０ｍｍ、幅５ｍｍ程度の楕円に似た形をしている。図２８の（ｂ）図において、１´は浮き本体、ア・１１は道糸、イはシモリ、ウはサルカン、エは仕掛けの糸落ち速度を調整するガン玉（錘）、オは釣り針、カは水面、サは浮き止め、シは付け餌、スはハリスである。
【００１２】
【発明が解決しようとする課題】
しかしながら、上述のような従来のこの種の成形釣り具は、いずれも、空気の流れ抵抗（空気抵抗：風の影響）、水上、水中抵抗（水の流れ抵抗：水流）、浮きの潜行性能、まして、浮きのブレ、方向性、直進性、更に、成形浮きを水中から引き抜くときの、水の流れによる引き抜き抵抗および浮き本体のブレ等、さらに、釣り糸を挿入した貫通孔（１０、１０´）に対する、釣り糸の接触摩擦はなかなか無くすことはできないという問題点があった。
【００１３】
なお、上記問題を解決すべく、空気抵抗、風抵抗による浮きの方向性、直進性、および浮きのブレ、更に魚が水中に仕掛けを引き込んだときの水中での浮きの水中抵抗、ならびに浮きの潜行性、直進性、および浮きのブレ、また、水中より魚と仕掛けを引き抜く時の浮きの引き抜き抵抗は、ドングリ状およびナツメ状浮きでは、その浮きの下部に一部分だけ削りを施したり（図２８参照）、棒状浮きの場合は、その浮きの上下側面帯に縦筋形状を施したりして、空気抵抗および水中抵抗を減少させている技術もある。さらに、球状浮き表面には、ゴルフボ−ルのような小さな凹面を設けたりして、浮きの潜行性、方向性、直進性をもたせ、ブレを小さくしようとする技術も考えられているが、上記問題は解決されていない。また、（図２８）の釣り糸（１１´）が貫通孔内（１０´）で撓むことは、結局、貫通孔内（１０´）との接触により、釣り糸と浮きの摩擦抵抗の減少という課題は解決できていない。
【００１４】
【発明の目的】
そこで、本願発明は、このような問題を解決するようなされたものであり、図１９〜図２５において、浮き本体（１）の側面にスクリュ−形状の凹形で滑らかな反り（２、３）及び凸形で険しい峰状の捻り（ａ´−ｂ´、ｃ´−ｄ´）を施すことで、空気の流れ（Ｗ）、水の流れ（Ｖ、Ｖ´、Ｖ´´）の作用の力が凹形の滑らかな反り（２、３）の部分に作用し、浮き本体（１）を、空気と水の流れ作用の力で、（Ｓ、Ｓ´、Ｓ´´）方向へ回転させることにより、空気抵抗・風抵抗および水中抵抗を減少させることと、浮きのブレをなくすことを目的としている。
【００１５】
さらに、該浮き本体（１）の上下部に、接触部材（８、９）およびフリ−回転リング（６、７）を施すことと、該浮き本体の貫通孔部分に、釣り糸の代わりとして固定シャフト（１１´´）を設けることで、釣り糸（１１）の捻れと、貫通孔（１０）内の接触抵抗を減少することができることを目的としている。
【００１６】
また、（図１０）において、ナツメ浮き状の浮き本体（１）の下部に、釣り糸（１１）の捻れ防止を設けた図１３の貫通環（４）を施すことにより、釣り糸（１１）と浮き本体１との捻れを無くすことができる。
【００１７】
また、図２５の棒状浮きに対しても、浮きの下部に貫通環（４）等を設けることにより、十分対応できるものである。しかも魚信があった場合には、通常の浮きと同様に、良好にそれを捕らえられる釣り用浮きおよび該浮きに反りと捻りを施したスクリュ−形状の浮きを提供することを、その目的としている。
【００１８】
【課題を解決するための手段】
請求項１記載の本願発明は、浮き１の側面に、滑らかな反り（２、３）と、その反りに捻りを併せ持つ、スクリュ−形状（図１〜図９）を特徴とした、空気中および水上、水中で回転する釣り用浮きである。
【００１９】
上記の反り２、３は、該浮き本体（１）の下部（ａ−ｄ）間、上部（ｃ−ｄ）間の側面に、数ヶ所、切削加工または型枠加工（成形材料を浮き本体成形金型に流し込む方法）されたスクリュウ−形状である。また、その反りは凹型の反り（２）、（３）とした。
【００２０】
さらに、該浮き本体の下部（ａ−ｂ）間、上部（ｃ−ｄ）間の側面に、数ヶ所、切削加工または（型枠加工）されたスクリュ−形状の凸型の峰部捻り（ａ´−ｂ´）、（ｃ´−ｄ´）を設けたものである。
【００２１】
さらに、該浮き本体の上下部に、環状金具（１２、１３）を接着剤で固着し、フリ−回転リング（６、７）を挿入してから、接触部材（８、９）を接着剤で固着したものである。
【００２２】
上記請求項１〜請求項１０記載の反り（２、３）、捻り（ａ´−ｂ´、ｃ´−ｄ´）およびフリ−回転リング（６、７）、接触部材（８、９）ならびに環状の金具（４）、固体シャフト（１１´）は、浮きに対し適当な位置に切削加工を施し、付設することが可能であるが、後記する理由により、該浮き本体（１）に対しては、反り（２）と捻り（ａ´−ｂ´）は浮き本体の下部三分の二程度、反り（３）と捻り（ｃ´−ｄ´）は浮き本体の上部三分の一程度の部分が効果的である。
【００２３】
また、他形状の浮きでは、その形状に合わせて反りを加工することが効果的であり、この釣り用浮きは、適正に回転する浮きであれば、その種類、材質、形状、大きさなどは限定されない。例えば、浮きの形状には、ナツメ形状、ドングリ形状、流木形状などが挙げられる。使用される釣り糸の素材や太さならびに釣り糸の代わりに使用する固体シャフト（１１´´）の素材や太さなどは限定されない。ただし、貫通孔（１０）内に遊挿できる太さでなければならない。
【００２４】
請求項８および請求項９に記載の発明は、浮き１が、空気中および水中で適正に回転するということに於いて、錘と兼ねた環状金具（１２）または環状リング（１４）を浮の下部に嵌着させて、重心を浮きの下部へ持っていくということで、直進性、潜行性の向上を図り、浮きのブレを防止できる。
【００２５】
そこで、空気中では、該浮き本体がスム−ズに回転し、浮きに対する空気抵抗を減少させて仕掛けを的確なポイントへ投入でき、水中では、浮きの水中抵抗を減少させて仕掛けの潜行を高める。さらに、空気中および水中での浮のブレを無くし、方向性、直進性、潜行性を増すことができる。なお、浮きをスム−ズに回転させる為の反り（２、３）と捻り（ａ´−ｂ´、ｃ´−ｄ´）を浮き本体（１）に施してあることで、回転しながらの直進性を保つことができることを特徴とする。
【００２６】
【作  用】
普通使用される従来の中通し浮き等は、風および水流の影響を受けやすいく、浮きの直進状態、潜行状態、ブレ状態等に変化が生じる。そこで、請求項８記載の如く、貫通孔（１０）を施した中通し浮きにあっては、フリ−回転リング（６、７）が設けてあることにより、釣り糸（１１）と該浮き本体（１）とは、上部リング（７）と下部リング（６）の内側で点接点として接触する。なお、該浮き本体（１）の反り（２、３）および捻り（ａ´−ｂ´、ｃ´−ｄ´）が道糸（釣り糸）を鉛直軸として回転しようとする大きな慣性モ−メントをもつため、この慣性モ−メントが、風の影響で浮きの回転ブレ等を起こそうとする状態による遠心力のアンバランスに対抗して、該浮きを鉛直に近い位置で安定した回転を維持するように働く。
【００２７】
また、鉛を兼ねた環状の金具（１２）が施されているので直線的に進行するので接触抵抗が小さくなり、釣り糸との摩擦が減少されることで、該釣り糸（１１）に沿ってスライドしやすく、スム−ズな回転が得られるという利点を有する。
【００２８】
請求項１〜請求項８に記載の発明によれば、上記構成された回転する該浮き本体（１）を釣り用仕掛けに装着し、投入しようとするポイント（場所）へ投げたとき、空中での空気抵抗（空気の流れ）：風抵抗（風の流れ）を受ける。
【００２９】
また、好みのポイントにこの仕掛けを投入した場合では、水上・水中での水の抵抗（水流：水の流れ）が係ってくる。これらの抵抗（空気の流れＷ、水の流れＶ、Ｖ´、Ｖ´´）の反作用の力が、スクリュ−形状をした数カ所の捻り（ａ´−ｂ´、ｃ´−ｄ´）が施してある凹型の反り（２、３）に働くことにより、今までの浮きよりも、浮き本体に係わる空気抵抗（空気：風の流れ））を緩和させながら回転して直進し、想い通りのポイントに仕掛けを落とすことができる。
【００３０】
また、そこのポイントに水の流れがある場合、落ちた浮きが水上に馴染んで正立した後、浮き本体の側面から水の流れを受けるが、その水の流れに逆らわずに浮きが回転しながら程よく水の流れに乗る。さらに、魚が、浮き本体１を取り付けた仕掛けを水中に引き込んだ場合に、浮き本体が引き込まれる勢い（水の流れＶ´）で回転する為、浮きに対する抵抗を減少することができる。
【００３１】
その結果、魚に違和感を持たせないように、仕掛けを引き込ませることができるとともに仕掛けを引き抜く場合にも、浮きに対する水中抵抗（水の流れＶ´´）が緩和されて、釣り糸および釣竿に余計な負担をかけずに魚を取り込める。
【００３２】
さらに、該浮き本体（１）に施した貫通孔（１０）に対しては、浮き本体（１）の上部および下部に設けた、フリ−回転リング（６、７）が、釣り糸（１１）および浮き本体（１）と適度なギャップを保っている為、釣り糸とフリ−回転リングは、点に近い接触となり、接触抵抗も少なく摩擦も小さいので、釣り糸（１１）を中心として安定したスム−ズな回転を維持するように働く。
【００３３】
その結果、この発明の釣り用浮きは、いろんな釣り方に適応し、初心者でも、風の影響をあまり気にせずに、思い通りのポイントに、仕掛けを落とすことができる。
【００３４】
さらに、水の流れのある場所の水上では、その水の流れで浮きが回転し、水の流れに程よく乗り、浮きの水中部分の水流抵抗を軽減できる。また、魚に違和感を持たせないように仕掛けを引き込ませることができるとともに、魚の掛かった仕掛けを水中から引き抜くときにも、細いハリス（釣り糸）や釣竿の性能に集中でき、釣果も増え、対象となる魚種も増やすことができる。
【００３５】
特に、この反りと捻りを併せ持つスクリュ−形状は、滑らかな反りの表面形状および反りの数量を、遠投したい場合、また、風の強さ・水の流れの強さで、変化させて浮きに形成することができ、浮きの大きさ、形状等に限定されること無く色んな仕掛けに使用できる。
【００３６】
請求項９に記載の発明によれば、該浮き本体（１）が、浮き本体（１）に取り付けた一体型環状リング（１４）の貫通環（４）の芯（４´）を中心として回転する。
【００３７】
更に、環通環（４）を用いたタイプの浮きでは、該浮き本体（１）の下部に設けた貫通環（４）の芯（４´）は錘と兼ねた環状リング（１４）と適度な間隔（１７、１８）を持たせてあり、また、環通環（４）と釣り糸（１１）も間隔（１６）があるため、スム−ズなスライドと回転が得られ、該浮き本体（１）が釣り糸（１１）に対し鉛直に近い状態で安定した回転を維持するように働く。
【００３８】
また、該浮き本体（１）に施した貫通孔（１０）に対しては、浮き本体（１）の上部および下部に設けた、フリ−回転リング（６、７）が、釣り糸（１１）および浮き本体（１）と適度なギャップを保っているので、接触抵抗も少なく、摩擦も小さいので、釣り糸（１１）を中心として、安定したスム−ズな回転を維持するように働く。
【００３９】
その結果、この発明の釣り用浮きは、空気中では、風に影響されずにスム−ズな回転をしながら直進し、好みのポイントに投入できる。また、水上では、水の流れに影響されずに程よく回転しながら水の流れに乗り、水上を移動する。
【００４０】
なお、仕掛けが水中に引き込まれた場合は、その仕掛けの引き込まれた勢い（水の流れ）で浮きが回転し、水の流れの抵抗を緩和して、違和感無く魚に引き込ませることができる。さらに、魚が掛かった仕掛けを引き抜く場合は、魚と仕掛けを引き抜くときの水の流れ抵抗が、釣り糸（道糸、ハリス）および釣竿に係ってくるが、浮き本体が、その水の流れで回転すると、水の流れ抵抗を緩和でき、上記釣り糸および釣竿への重量負担を軽減でき、釣り糸および釣竿の性能を最大限に発揮できるようになる。
【００４１】
その結果、釣果も増え、対象となる魚種も増やすことができる。なお、上記の反りや捻りの大きさ、深さ、数、配置および浮きの大きさ、形状、錘の重さを考慮して浮きのブレを無くし、飛距離や直進性、潜行性、を向上させるように設定するのが好ましい。
【００４２】
請求項９記載の如く、環付き浮きにあっては、貫通環（４）に釣り糸（１１）を挿通せしめた際に、この該釣り糸（１１）に対し、該貫通環（４）がこの環の芯（４´）を中心にフリ−に回転することとなり、これにより該釣り糸（１１）と該浮き本体（１）との捻れが無くなるため、釣り糸に絡むことなく、該釣り糸（１１）に沿ってスライドしやすく、また、スム−ズな回転が得られるという利点を有する。
【００４３】
請求項１０に記載の発明は、図３０に示すように、挿通する釣り糸の代わりに固体シャフト（１１´´）を挿入し、該浮き本体の貫通孔１０と固体シャフトの間隔およびシャフトに固着したガイドリング（８´、９´）と浮き本体に固着したガイドリング（８、９）の間隔を適当に保たせ、固体シャフトを中心としてスム−ズな回転を確保できるようにした。この結果、水深の浅い棚でのつり方に使用する釣り用浮きで、ハリスの長さを調整できる固定タイプの回転する浮きとした。しかも魚信（アタリ）があった場合に、魚のアタリ（魚信）を速く、的確に捕えて、手返しの回数も増える。このことで、より多くの釣果を得られるという利点を有する。
【００４４】
また、請求項１０に記載の発明によれば、釣り糸（１１）が、貫通孔（１０）内部でからむことを簡単に解消できる固定浮きであり、水中の表層部に近い棚の魚に対して使用する仕掛け（メジナ等を表層部に浮かせて釣る方法）で、該浮き本体（１）の貫通孔内に固体シャフト（１１´´）を挿入することにより、浮き本体をスム−ズに回転することとし、仕掛けを投入した場合、空気中、水上、水中でこのシャフトを中心として回転するので、釣り糸の絡みを心配しなくても良い利点を有する。（固定シャフトの上下部の貫通孔１６´にサルカンを連結使用してもよい）
【００４５】
その結果、ビギナ−（初心者）でも、固定方式の浮きで、魚信を良好に捕らえることができる。なお、前述したように釣り糸（道糸）の絡みを心配することなく、風の影響を緩和させ、想い通りのポイントに仕掛を投入できる。また、仕掛を魚が水中に引き込んだ場合にも、違和感無く引き込ませることができる。さらに、仕掛を水中から引き抜く場合にも水中抵抗（水の流れ）を緩和させながら、魚を捕らえることができる。その結果、初心者でも、釣果を増やすことができ、対象となる魚種も増やすことができる。
【００４６】
よって、本願発明は、空気抵抗、風抵抗および、水中に仕掛けを勢い良く引き込まれているときの水中抵抗、更に、水中より魚と仕掛けを引き抜くときの引き抜き抵抗を、一段と和らげる手段と、空気中及び水中での浮きのブレを無くそうとする高度な設計形状を持つ手段とを備え持った、回転する浮きを提供することにより上記課題を解決したものである。
【００４７】
【発明の実施の形態】
発明の実施の形態を実施例にもとづき図面を参照して説明する。なお、ここでは海釣り用のドングリ形状の浮きを例にとる。図１、図２は、この発明の第１実施例に係る釣り用浮きの拡大正面図である。図３は、この発明の実施例に係る釣り用浮きの拡大背面図である。図４は、第１実施例に係る釣り用浮きの底面図である。図５は、第１実施例に係る釣り用浮きの平面図である。図６は、第１実施例に係る釣り用浮きの断面（→Ａ）方向を示す図である。図７は、図６のＡ−Ａ断面図である。図８は、第１実施例に係る釣り用浮きの断面（→Ｂ）方向を示す図である。図９は、図８のＢ−Ｂ断面図である。図１０は、この発明の第１実施例に係わる釣り用浮きの下部に、環状の金具４のみ（市販の参考品で、製造元  株式会社ウメズさんの製品番号１１１５Ｆ極細足軽量タイプ等を使用し、ガン玉の錘で、浮の浮力を調整する。）を取り付けた浮きで、貫通孔（１０）を施していないタイプの拡大正面図である。図１１は、図１０の浮きの底面図である。図１２は、この発明の第１実施例に係わる釣り用浮きの下部に、浮力調整された、錘を兼ねた金具１４（市販の参考品で、製造元  株式会社ウメズさんの製品番号１１２４Ｆカン付円スイ用タイプ等を使用すると良い。）を取り付けた浮きで、貫通孔（１０）を施していないタイプの浮きの底面図である。図１３は、この発明の第１実施例に係わる釣り用浮きの下部に、錘を兼ねた金具（１４）の拡大断面図である。図１４は、この発明の第１実施例に係る釣り用浮きで、貫通孔（１０）を施していないタイプの浮きの平面図である。図１５は、環状金具（４）を取り付けた浮きの断面（→Ａ）方向を示す図である。図１６は、図１５のＡ−Ａ断面図である。図１７は、環状金具（４）を取り付けた浮きの断面（→Ｂ）方向を示す図である。図１８は、図１７のＢ−Ｂ断面図である。図１９〜図２４は、この発明の第１実施例に係る釣り用浮きの使用状態を示す図である。図２５（ａ）〜図２５（ｃ）は、回転する浮きの食い込み時および引き抜き時の第１実施例を示す棒状浮きの図面である。図２６は、ナツメ浮き等で、この発明の第１実施例に係る釣り用浮きの内部実施例を示す縦断面図である。図２７はドングリ浮き等で、この発明の第１実施例に係る釣り用浮きの内部実施例を示す縦断面図である。図２８（ａ）〜図２８（ｂ）は、従来のナツメ形状の浮きの縦断面図および従来手段に係る釣り用浮きの使用状態を示す断面図である。図２９は、この発明の第１実施例に係る釣り用浮きの内部実施例を示す縦断面図で、浮の上下部に取り付けた環状の金具（１２´、１３´）に環状のラインガイド用リング８、９（接触部材）が一体に形成されているタイプの浮きである。図３０は、この発明の第１実施例に係る釣り用浮きの内部実施例を示す縦断面図で、釣り糸の代わりに、固体シャフト（１１´´）を挿入したタイプの浮きである。図３１（ａ）〜図３１（ｅ）は、この発明の第１実施例に係る釣り用浮きの製造工程を示す説明図である。図３２（ａ：平面図）、図３２（ｂ：底面図）は、この発明の第２実施例に係る釣り用浮きの上部および下部に、凸状の捻りＮおよび捻りＭを設けた図面である。図３３（ａ）〜図３３（ｃ）は、この発明の第２実施例に係る釣り用浮きの上部および下部に、凸状の捻りＮおよび捻りＭを設けた浮きの正面図およびＤ−Ｄ断面図ならびにＣ−Ｃ断面図である。
【００４８】
なお、該浮き本体（１）は、発砲性のウレタン樹脂等および木材等の軽量の材質、また合成樹脂等の重量を調整できる材質の材料から構成されてなる。上記貫通孔１０は、浮き本体１の両端部を貫通して内部形成されている。貫通孔１０内部のセンタ−パイプ５は、プラスチック等、金属等およびＡＢＳ製のパイプである。固体シャフト１１´´は、破損しにくい材質（プラスチック等、加工しやすい金属等が好ましい）を使用する。
【００４９】
図１において、１は全遊動釣りおよび色々な釣りに使用される釣り用浮きであり、この釣り用浮き１は、この浮き本体１と、該浮き本体（１）の側面に、滑らかな凹状の反り（２、３）と、鋭く、険しい凸状の捻り（ａ’−ｂ´、ｃ´−ｄ´）と、この浮き１に内設された貫通孔１０（図２６、図２７参照）と、プラスチック製、金属製およびＡＢＳ製センタ−パイプ５と、道糸の滑りをさらに良好にする自滑性の高いアルミナ製等のフリ−回転リング（６、７）およびラインガイド用リング８、９（接触部材：滑りリング）、さらに錘兼用環状金具１２および環状金具１３を備えていて、該浮き本体（１）を上部（図５）、下部（図４）から見るとスクリュウ−形状に切削加工することにより形成されてなる。
【００５０】
また、該浮き本体の型枠（製造工程を示す図３１のａ意匠凹部２３の２ａ、２３の３ａ、２４の２ａ、２４の３ａ）を用いて合成樹脂等を流し込むという方法も考えられる。
【００５１】
なお、図１の本実施形態において、該浮き本体（１）の側面に施された反り２，３は、上部六面、下部六面を有してなる。この反り２、３は、図３のそりの幅Ａ´、Ｂ´および図７、図９のそりの深さＣ´、Ｄ´、ならびに、反りの大きさ、形状（色んな浮きに対して反りの面積を変化させることができる）、反りの数を、使用する浮きに対して変化させることで、その浮きを使用する環境（自然：風の影響、水の流れ）に適応した浮きを形成することができる効果が得られる。
【００５２】
図２７において、該浮き本体（１）には、その浮きの軸方向の両端部に貫通孔（１０）が、貫通した状態に穿設されてなり、該貫通孔（１０）は、内径が略同一の略円柱状に形成されてなる。
【００５３】
図２７において、センタ−パイプは、該貫通孔（１０）の中心部分に該貫通孔の内径（接触面２０）と同じサイズのプラスチック等および金属等（フリ−回転リングと接触するため磨耗の少ない材質のものを使用するとよい）のセンタ−パイプ（５）を嵌着せしめられてなる。
【００５４】
さらに、図２７において、該貫通孔（１０）の内部には、捜着せしめられてなる該センタ−パイプ（５）の上下部に、接触部材としてのフリ−回転リング（６、７）が、該貫通孔の内周面に程良いギャップを持って挿入せしめられてなる。
【００５５】
ここで、接触部材の該フリ−回転リング（６、７）は、図２７に示す如く、楕円形のリング形状であるため、該フリ−回転リング（６、７）の内周面と釣り糸（１１）と点で接触することなる。また、該フリ−回転リング（６，７）がベアリングの役目をするので、該浮き本体１は、スム−ズにスライドしながら（回転方向Ｓ、Ｓ´、Ｓ´´）方向に回転するという効果が得られる。なお、その該フリ−回転リング（６、７）の外周経は該貫通孔（１０）の内径よりも若干小さく形成されている。
【００５６】
また、該フリ−回転リング（６、７）は、図２７に示す如く、該浮き本体（１）中心部の貫通孔（１０）内部に適度なギャップを保つように内部形成されている。そこで、該フリ−回転リング（６、７）と該浮き本体（１）とは、点接点となるので、スム−ズな回転が得られるという効果がある。なお、本実施形態においてフリ−回転リング（６、７）の材質は、ガラス環、プラスチック環、金属環等（例えば表面にハ−ドクロムをメッキしたステンレス等または自滑性の高いアルミナ等の材質が好ましい）から製造なされてなる。
【００５７】
さらに、該貫通孔（１０）には、図２７に示す如く、その上端部には上部環状のラインガイド用リング９（接触部材，滑りリング）と下端部には環状のラインガイド用リング８（接触部材，滑りリング）が取り付けられてなり、金具部材（１２、１３）に嵌着せしめられて取り付けられてなる。また、各々環状のラインガイド用リング８、９の内周面とも釣り糸（１１）と点接点となる楕円形のリング状を有するので、糸すべりが良いという効果が得られる。
【００５８】
また、該各々環状のフリ−回転リング部材（６、７）、または貫通孔（１０）の上下端部の環状金具部材（１２、１３）に嵌着せしめて取り付けてなる該環状のラインガイド用リング８、９（接触部材，滑りリング）は、炭化ケイ素、シリコンカ−バイト、ハイアルミナ等の摺動性が高い材質より形成される。このことで、浮きが回転するときの糸滑りおよび餌の付いた仕掛けが水中に落ちていくときの糸落ち時の抵抗も小さくなる。
【００５９】
さらに、該貫通孔（１０）の上下端部には、図２７に示す如く、各々環状の該金具部材（１２、１３）が取り付けてなり、該金具部材（１２、１３）は、該貫通孔（１０）に嵌着せしめられたセンタ−パイプ（５）の外周と該金具部材（１２）の内周面（１９）及び該金具部材（１３）の内周面（１９）と嵌着せしめられて取り付けられてなる。
【００６０】
また、該各々環状の金属部材（１２、１３）も、炭化ケイ素、シリコンカ−バイト、ハイアルミナ、真鍮等から製造されてなる。
【００６１】
本実施形態の浮きは上記構成からなるが、次に、図１において、かかる浮きの切削加工での製造方法について説明する。まず、所謂ドングリ型の浮き本体（１）の側面に、捻り（ａ´−ｂ´，ｃ´−ｄ´）を帯びた反り（２、３）を有する部分を掘削せしめる。また、反り（２）、（ａ´−ｂ´）の長さは、反り（３）、（ｃ´−ｄ´）より長く、浮き本体（１）の三分の二程度を有する。
【００６２】
また、該浮き本体（１）に中心部の貫通孔（１０）を穿設せしめる。また、その貫通孔（１０）の軸方向の長さより若干短くセンタ−パイプ（５）を切断せしめておき、この切断された該センタ−パイプ（５）を前記貫通孔（１０）の内部に嵌着せしめる。
【００６３】
また、該貫通孔内に嵌着せしめた該センタ−パイプ（５）の該浮き本体（１）の上下部に環状の金具（１２、１３）を嵌着せしめる。
【００６４】
さらに、該センタ−パイプ（５）の上下部と該環状の金具（１２、１３）を嵌着せしめた後、適度なギャップを持たせるように微調整されたフリ−回転リング（６、７）を挿入せしめる。その後で、環状の金具（１２、１３）の端部に環状のラインガイド用リング（８、９）を嵌着せしめる。
【００６５】
また、環状金具（１２）における該金具の外周（２１）部の幅と、長さおよび環状の金具（４）の付いた錘兼用の金具（１４）の大きさを変えて、適度な重さにして加工し、嵌着せしめることで、浮きの重心を該浮き本体（１）の下部にもっていける。これにより、該浮き本体（１）の、空気中、水中での直進性、方向性、潜行、ブレ等に最適な効力を発揮できるよう製造できる。
【００６６】
また、かかる該浮きの型枠を用いて、合成樹脂材等を図３１の２３ｂより流し込むという方法で、色々な材料等による成形浮きを製造することができる。ここで、図３１に基づき、この発明の第１実施例に係る釣り用浮きの製造方法を説明する。なお、ここでは、射出成形による製造方法を説明する。図３１（ａ）〜図３１（ｅ）は、この発明の第１実施例に係る釣り用浮きの製造工程を示す説明図である。予めセンタ−パイプの成形用金型（図外）の意匠凹部にＡＢＳ製のセンタ−パイプ成形材料を注入充填して、センタ−パイプ５を射出成形しておく。
【００６７】
次いで、この成形されたセンタ−パイプを、浮き本体成形用金型２３，２４の意匠凹部２ａ，３ａに装着する。その際、図３１（ｅ）のように、任意の長さにしたセンタ−パイプ５と環状金具１２ａ、１３ａとを、一体型にしたものを意匠凹部（２ａ、３ａ）に装着させる。
【００６８】
続いて、浮き本体成形用金型２３、２４を嵌合し、意匠凹部２ａ、３ａ内に、注入口２３ｂから浮き本体成形材料を注入・充填する。これにより、反りと環状金具１２ａ、１３ａとが、一体化した浮き本体１が射出成形される。
【００６９】
そして、これを浮き本体整形用金型（２３、２４）から脱型し、冷却し、その後に、環状金具（１２ａ、１３ａ）の端部に、フリ−回転リング６、７を挿入し、環状のラインガイド用リングを環着することで、釣り用浮き１が製造される。その結果、前述した効果を有する釣り用浮き１が、比較的少ない工程数で、しかも比較的容易に製造される。
【００７０】
次に、図３２および図３３に基づいて、この発明の第２実施例に係る釣り用浮きを説明する。図３２、および図３３は、この発明の第２実施例に係る釣り用浮きの図３３の平面図，図３３の底面図および図３３の拡大正面図、図３３のＣ−Ｃ断面図、図３３のＤ−Ｄ断面図である。
【００７１】
図３３に示すように、該滑らかな反り２に、凸峰状の捻り（Ｍ：数ｍｍ）を施した反り（２´）および該滑らかな反り３に、凸峰状の捻り（Ｎ：数ｍｍ）を施した反り（３´）が浮の上下端部に、施してあることを特徴とする釣り用浮きである。
【００７２】
このことにより、該滑らかな反り（２、３）を施してある形状の浮きより、空気抵抗（空気：風を切って進む性能が高まる。）および水中抵抗（水を掻いて進む性能が高まる。）を、より一層、緩和させる効果を得る。
【００７３】
さらに、図２６に示すように、この第２実施例の釣り用浮きは、図２８に示す従来手段の外形に似た、断面円形のナツメ形状をした浮き１´を有している。また、図２６に示すように、この第２実施例の釣り用浮きは、図２７に示す内部構造の断面のものと同じ、断面形状をした構造を有することができる。
【００７４】
これにより、図３３の浮きにも、上記浮きの形状の反り２´、３´と浮きの内部構造図２６、図２７が使用できる。これにより、この発明は、浮のタイプを選ばない。その他の構成、作用、効果は第１実施例から類推できるので、説明を省略する。
【００７５】
【発明の効果】
上記の如き浮きにあっては、（図３、図７、図９）に示すように、反り（２）が浮き下部より上に向かって段々と変化する形状と成っていて、（図１９）のように（Ｔ）方向へ仕掛けを投げたとき、空気の流れ（Ｗ）が、該浮き本体の反り（２）の部分に当たると、該浮き本体（１）が（Ｓ）方向へと回転することで、空気抵抗を緩和することができるという効果がある。
【００７６】
また，該浮き本体（１）が回転する場合、釣り糸（１１）を中心として、また、環状金具（１４）の芯（４´）を中心として回転するが、釣り糸（１１）が貫通孔（１０）内部の上下部のフリ−回転リング６、７（接触部材）と点接点に近い状態として接触するため、釣り糸（１１）と該浮き本体（１）に内部形成されたセンタ−パイプとの摩擦が小さくなるという効果がある（図２６、図２７参照）。また、環状金具（１４）の芯（４）と釣り糸（１１）との接触も、点接点に近い接触となり、摩擦が小さくなるため、釣り糸（１１）に沿ってスライドしやすく、スム−ズに回転し、釣り糸に負担をかけないという効果ある。
【００７７】
さらに、貫通孔（１０）の内部に挿入してある接触部材６、７（フリ−回転リング）とともに、上下端部に環状の金具（１２、１３）に環状リング８、９を一体型に形成してせしめてある接触部材１２´、１３´も、該浮き本体（１）と点接点で接触しており、貫通孔（１０）のセンタ−パイプ（５）との内面と釣り糸（１１）との接触抵抗が少なくなり、スライドしやすく、スム−ズに回転するという利点を有する。
【００７８】
また、該浮き本体（１）の嵌着せしめてある環状の金具（１２）の幅と長さ（２１）部を変えることで、重量バランスを調整できる。また、浮きの形状は、反り（２、３）の大きさを変化させたり、その反りの数を増やしたり減少したりすることで、最良の回転と最高のバランスを引き出すことができ、浮きの効率を最大限に発揮できるように持っていける利点を有する。
【００７９】
特に、本実施形態においては、該浮き本体（１）に捻り（ａ´−ｂ´、ｃ´−ｄ´）を施した反り（２、３）によって、空気中、水中における直進性、方向性、潜行性を高め、浮きのブレを的確に小さくし、また、金具（１２）の重量を調整できることで方向性、進行性を増し、さらに、フリ−回転リング（６、７）と、該浮き本体（１）の上下部の環状のリング（８、９）により、該浮き本体がスム−ズなスライドと回転をなし、釣り糸（１１）の破損も防止できる利点を有する。
【００８０】
また、図２３〜図２５に示すように該浮き本体（１）は、上下部に反り（２、３）、捻り（ａ´−ｂ´、ｃ´−ｄ´）を施してあり、このことにより、魚が、水中へ仕掛けを引き込んだ時と、水中から該仕掛けを引き抜くときに、水中抵抗が、魚および仕掛けに係ってくるが、この該浮き本体（１）の反り（２）により、水中抵抗《浮きの方向で水を掻いていく力》を小さくして、さらに、反り（３）により水抜け《浮きの進む方向に対して水の逆流抵抗》も小さくなり、釣り糸本来の弾力性能や釣り竿の性能を充分に発揮できる利点を有する。
【００８１】
また、該浮き本体（１）の反り（２、３）、捻り（ａ´−ｂ´、ｃ´−ｄ´）は表面部に切削せしめられてなるので、反りおよび捻りの形状や数量を容易に好みの数にすることができる。また、反り（２，３）の形状や数量を変えることができる為、型枠を用いて、合成樹脂等の材料で、浮きに合った形状に成形浮きが製造できる。さらに、センタ−パイプ（５）は貫通孔（１０）に嵌着せしめてなり、また、環状のリング（８、９）は、フリ−回転リング（６、７）を挿入した後、嵌着できる。また、確実に該浮き本体（１）と金属等でできた環状リング（１２、１３）を金具面（２１、２２）に対して、浮き本体の上下部分に固着して取り付けることができることで、より強固となる利点を有する。
【００８２】
さらに、本実施形態の該浮き本体（１）にあっては、反り（２、３）の部分は高精密性を求められるが、貫通孔（１０）の作成、センタ−パイプ（５）の嵌着、フリ−回転リング６、７（接触部材）の挿入、環状のリング（８、９）（接触部材）の嵌着、環状の金具（１２、１３）の浮き本体（１）への取り付けは容易に製造することができ、安価に製造できるという利点を有する。特に、接触部材としての既存のリング（６、７）、センタ−パイプ（５）、環状の金具（１２、１３）を用いるものであり、これを、所望大、長さに加工して使用できるので製造コストを低減することができる。
【００８３】
なお、本実施形態の該浮き本体（１）は、上記構成からなり、上述の効果を有するものであるが、本発明に係る浮きは、表面（側面）に、滑らかな反り（２、３）およびスクリュ−形状の捻り（ａ´−ｂ´、ｃ´−ｄ´）を施し、空気抵抗、水中抵抗を軽減させて、浮き本体を回転させることにおいてなされるものであれば、上記機構に限定されるものではない。
【００８４】
すなわち、該浮き本体（１）の反り（２、３）の数量において、上下部の反りを六面体にしたが、空気中の風の強さ、水の流れ具合により適宜設計変更可能であり、例えば、空気中の風の強い時、水流の速い場合、また、その風の方向、水の流れの方向が反対であっても、それぞれに合った反りの数、捻り具合（反対方向の反り、捻り）を変化させるということができ、本願発明の意図する範囲内である。
【００８５】
また、接触部材として、請求項（８）記載の如くセンタ−パイプ（５）、およびフリ−回転リング（６、７）を採用する場合であっても、上記実施形態の取り付け方法に限定されるものではなく、適宜の取り付け手段を採用することができる。しかるに、貫通孔（１０）の内面に、通嵌着せしめてなるセンタ−パイプ（５）と上下部の環状のリング（８、９）を環状の金具（１２、１３）に嵌着せしめてなる部分に、適度なギャップをもたせた内部に、フリ−回転リング（６、７）を納めることが好ましく、これにより、製造を容易に行いうるという利点を有する。また、請求項（８、９）記載の如く、このように、環状の金具（１２、１３）を採用するに場合にあっても、実施形態の如く、上下両端部に該リング部材（８、９）を設けることは必須の要件ではなく、貫通孔（１０）の下部に環状の金具（１２）のように重量を調整できるものであれば、リング（８、９）を嵌着するか、（図２９）金具（１２´、１３´）のような一体型でもよいので、請求項（８、９）の発明の意図する範囲である。
【００８６】
さらに、上記実施形態においては、リング部材（６、７）が貫通孔（１０）内に挿入せしめられてなる、環状のリング（８、９）と具備するものゆえ、上記利点を有するものであったが（図２９）に示すように環状金具（１２、１３）を有さないリング部材等であっても採用でき、かかる（図２９）に示す如き浮きにあっても、請求項（８）記載の発明の意図する範囲内である。
【００８７】
また、上記実施形態において、該浮き本体（１）が所謂ドングリ型の変形のものを例に取り説明したが、本発明において該浮き本体（１）の形態は、その他、略逆円錐形状等、種々のものを採用でき、要は、反り（２、３）、捻り（ａ´−ｂ´、ｃ´−ｄ´）が形成されてなるものであれば、適宜設計変更可能である。
【００８８】
以上の如く、本発明に係る浮きは、側面に滑らかな反りおよび捻りを数カ所切削せしめた形状により、空気抵抗および水中抵抗を減少することができる。また、貫通孔の内部に挿入せしめた釣り糸が、フリ−回転リング６、７および接触部材８、９と点で接触して、釣り糸（道糸）と浮き本体１との摩擦が小さくなるため、釣り糸に沿ってスライドしやすい。また、釣り糸の代わりに固定シャフト（１１´´）を使用することで釣り糸の捻れを起こさずに回転させることができる。これにより、浮き本体１がスム−ズに回転することで、空気抵抗と水中抵抗を減少せしめて、浮き本体１のブレ等を無くし、浮きの方向性、直進性を高め、より適したポイントに仕掛けを投入できる。また、該浮き１が回転することで潜行性に優れ、魚に違和感を持たせずに水中に引き込ませることができる。さらに、水中より仕掛けを引き抜くときの引き抜き抵抗、および浮きの水中でのブレを緩和させることが出きる効果を有する。
【図面の簡単な説明】
【図１】回転する浮きの横向きの正面図である。
【図２】回転する浮きの縦向きの正面図である。
【図３】回転する浮きの実施例を示す背面図である。
【図４】回転する浮きを下から見た底面図である。
【図５】回転する浮きを上から見た平面図である。
【図６】回転する浮きの断面（→Ａ）方向を示す図である。
【図７】回転する浮きの実施例を示す横断面図である。
【図８】回転する浮きの断面（→Ｂ）方向を示す図である。
【図９】回転する浮きの実施例を示す横断面図である。
【図１０】環状金具（４）が付いた回転する浮きの正面図である・
【図１１】環状金具（４）が付いた回転する浮きを下から見た底面図である。
【図１２】環状金具（４）と錘兼用金具（１４）が一体に成形された回転する浮きを下から見た底面図である。
【図１３】錘兼用の金具部の実施例を示す縦断面図である。
【図１４】環状金具（４）が付いた回転する浮きを上から見た平面図である。
【図１５】環状金具（４）が付いた回転する浮きの断面（→Ａ）方向を示す図である。
【図１６】環状金具（４）が付いた回転する浮きの実施例を示す断面図である。
【図１７】環状金具（４）が付いた回転する浮きの断面（→Ｂ）方向を示す図である。
【図１８】環状金具（４）が付いた回転する浮きの実施例を示す断面図である。
【図１９】回転する浮きの仕掛けを（Ｔ）方向へ投入する実施例を示す図である。
【図２０】回転する浮きの水面の位置での実施例を示す図である。
【図２１】回転する浮きの仕掛けが水中へ引き込まれる時の実施例を示す図である。
【図２２】回転する浮きの仕掛けを水中から引き抜く時の実施例を示す図である。
【図２３】回転する浮きが水中に引き込まれたときの水の流れ方向と回転方向の実施例を示す図である。
【図２４】回転する浮きを水中から引き抜くときの水の流れ方向と回転方向の実施例を示す図である。
【図２５】回転する浮きの食い込み時および引き抜き時の実施例を示す棒状浮きの図  面である。
【図２６】回転する浮きの貫通孔の内部実施例を示す縦断面図である。  （ナツメ形状）
【図２７】回転する浮きの貫通孔の内部実施例を示す縦断面図である。（該浮き１：ドングリ形状）
【図２８】従来の中通しナツメ型・ドングリ型浮きの実施例を示す縦断面図である。
【図２９】回転する浮きの環状リング（８，９）と環状金具（１２，１３）を一体成        形した実施例を示す縦断面図である。（ドングリ形状）
【図３０】回転する浮きの貫通孔内部を通る釣り糸（１１）を固体シャフト（１１´´）とした実施例を示す縦断面図である。
【図３１】（ａ）〜（ｅ）は、この発明の第一実施例に係わる釣り用浮きの製造工程を示す説明図である。
【図３２】この発明の第２実施例に係る浮き図３３の拡大正面図の上から見た平面図及び下から見た底面図の実施例を示す図である。
【図３３】この発明の第２実施例に係る釣り用浮きの使用状態を示す拡大正面図および図３３のＤ−Ｄ断面図・図３３のＣ−Ｃ断面図である。
【符号の説明】
１    回転する浮き本体
１´  従来の浮き
２    下部窪んだ反り（ａ−ｂ）間
２´  下部くぼんだ反り
３    上部窪んだ反り（ｃ−ｄ）間
３´  上部くぼんだ反り
４    環状の金具
４´  環状金具（４）と錘兼用金具とを連結する芯
センタ−パイプ
６    下部フリ−回転リング
７    上部フリ−回転リング
８    下部環状のラインガイド用リング（接触部材，滑りリング）
８´  固体シャフトに固着させたリング
９    上部環状のラインガイド用リング（接触部材，滑りリング）
９´  固体シャフトに固着させたリング
１０、１０´  貫通孔
１１  １１´  釣り糸（ミチ糸）
１１´´固体シャフト
１２    環状金具（おもり兼用）
１２´  １３´  一体環状金具
１３    環状金具
１４    金具（おもり兼用）
１４´  １５´  １６´  １７´  １８´  各部品部分の接触部
１６    釣り糸と環状金具との間隔
１７    錘兼用金具１４と環状金具４の芯４´との間隔
１８    錘兼用金具１４と環状金具４との間隔
１９、２０、２１、２２  各部品部分の接触面
２３，２４  浮き本体成形用金型
２３（２ａ、３ａ）、２４（２ａ、３ａ）  意匠凹部
２３ｂ  本体成形材料の注入口
５ａ  ＡＢＳ製のセンタ−パイプ
Ｓ、Ｓ´、Ｓ´´浮き本体の  回転方向
Ｔ、Ｔ´、Ｔ´´  仕掛けの進む方向
Ｖ、Ｖ´、Ｖ´´  水の流れの方向
Ｗ    空気の流れの方向
Ｘ    中心線
ア    釣り糸（道糸）
イ    セル玉
ウ    より戻し（サルカン）
エ    おもり（ガン玉）
オ    釣り針
カ    海面および水面
サ    糸止め（浮き止め：仕掛けの水深棚調整用）
シ    付け餌
ス    ハリス
タ    水面付近に仕掛けがある図
チ    水中に仕掛けおよび浮きが引き込まれた状態の図
ツ    水中から仕掛けおよび浮きを引き抜く状態の図
ａ´−ｂ´  反り（２）の凸部の捻り（外形線）
ｃ´−ｄ´  反り（３）の凸部の捻り（外形線）
Ｍ    凸部の捻りおよび反り
Ｎ    凸部の捻りおよび反り
【図１】
2005073507.tif 000003
【図２】
2005073507.tif 000004
【図３】
2005073507.tif 000005
【図４】
2005073507.tif 000006
【図５】
2005073507.tif 000007
【図６】
2005073507.tif 000008
【図７】
2005073507.tif 000009
【図８】
2005073507.tif 000010
【図９】
2005073507.tif 000011
【図１０】
2005073507.tif 000012
【図１１】
2005073507.tif 000013
【図１２】
2005073507.tif 000014
【図１３】
2005073507.tif 000015
【図１４】
2005073507.tif 000016
【図１５】
2005073507.tif 000017
【図１６】
2005073507.tif 000018
【図１７】
2005073507.tif 000019
【図１８】
2005073507.tif 000020
【図１９】
2005073507.tif 000021
【図２０】
2005073507.tif 000022
【図２１】
2005073507.tif 000023
【図２２】
2005073507.tif 000024
【図２３】
2005073507.tif 000025
【図２４】
2005073507.tif 000026
【図２５】
2005073507.tif 000027
【図２６】
2005073507.tif 000028
【図２７】
2005073507.tif 000029
【図２８】
2005073507.tif 000030
【図２９】
2005073507.tif 000031
【図３０】
2005073507.tif 000032
【図３１】
2005073507.tif 000033
【図３２】
2005073507.tif 000034
【図３３】
2005073507.tif 000035